(57)【要約】【課題】収納部の収納口が封止される構成とされた場合に、一旦は収納部に収納された貨幣を、手間なく収納部から取り出せ得る貨幣処理装置を提供する。【解決手段】硬貨処理装置１は、硬貨が投入される投入部と、硬貨が収納される収納袋と、硬貨を収納袋へ搬送する搬送部と、硬貨の計数を行う識別部２９と、収納袋が取り外し可能に装着される装着部と、収納袋の収納口を封止する封止機構と、装着部に装着された収納袋へのアクセスを規制するロック装置３０８と、制御部３０９と、を備える。制御部３０９は、収納袋に貨幣が収納される際にロック装置３０８にアクセス規制を行わせる規制処理と、封止機構に収納口の封止を行わせた後にロック装置３０８にアクセス規制を解除させる第１の規制解除処理と、封止機構に収納口の封止を行わせることなくロック装置３０８アクセス規制を解除させる第２の規制解除処理と、を実行可能である。【選択図】図５
2020057235.tif 000002
【特許請求の範囲】
【請求項１】
貨幣が投入される投入部と、
貨幣が収納される収納部と、
前記投入部に投入された貨幣を前記収納部へ搬送する搬送部と、
前記収納部に収納される貨幣の計数を行う計数部と、
前記収納部が取り外し可能に装着される装着部と、
貨幣が収納された前記収納部の収納口を封止する封止部と、
前記装着部に装着された収納部へのアクセスを規制する規制部と、
制御部と、を備え、
前記制御部は、
前記収納部に貨幣が収納される際に前記規制部に前記アクセスの規制を行わせる規制処理と、
前記封止部に前記収納口の封止を行わせた後に前記規制部に前記アクセスの規制を解除させる第１の規制解除処理と、
前記封止部に前記収納口の封止を行わせることなく前記規制部に前記アクセスの規制を解除させる第２の規制解除処理と、を実行可能である、
ことを特徴とする貨幣処理装置。
【請求項２】
第１の操作および第２の操作を受け付ける操作部を、さらに備え、
前記制御部は、前記収納部への貨幣の収納が行われた後、
前記第１の操作が受け付けられた場合は、前記第１の規制解除処理を実行し、
前記第２の操作が受け付けられた場合は、前記第２の規制解除処理を実行する、
ことを特徴とする請求項１に記載の貨幣処理装置。
【請求項３】
前記制御部は、前記搬送部による搬送時に貨幣の詰まりが生じた場合に、前記第２の規制解除処理を実行する、
ことを特徴とする請求項１または２に記載の貨幣処理装置。
【請求項４】
前記収納部とは異なる他の収納部と、
記憶部と、
報知部と、をさらに備え、
前記制御部は、
前記投入部に投入された貨幣を、前記搬送部に搬送させて前記計数部に計数させた後に前記他の収納部に収納させ、その際の計数結果を、第１の結果として前記記憶部に記憶させる第１の処理を行うとともに、前記投入部に投入された貨幣を、前記搬送部に搬送させて前記計数部に計数させた後に前記収納部に収納させる第２の処理を行い、
前記第２の処理において、当該第２の処理での計数結果を第２の結果として前記第１の結果と比較し、両者が一致していない場合に、不一致であるときの報知を前記報知部に行わせる、
ことを特徴とする請求項１ないし３の何れか一項に記載の貨幣処理装置。
【請求項５】
前記制御部は、
前記第１の処理において、前記第１の結果を、計数結果を識別するための識別情報に対応付けて前記記憶部に記憶させ、
前記第２の処理において、前記収納部へ貨幣を収納させる際に前記識別情報の入力を受け付け、受け付けた前記識別情報に対応付けられた前記第１の結果を前記記憶部から読み出して前記第２の結果と比較する、
ことを特徴とする請求項４に記載の貨幣処理装置。
【請求項６】
前記制御部は、複数回分の前記投入部に投入された貨幣が収納された前記収納部の前記収納口を前記封止部に封止させる、
ことを特徴とする請求項１ないし５の何れか一項に記載の貨幣処理装置。
【請求項７】
記憶部を、さらに備え、
前記制御部は、
一回分の前記投入部に投入された貨幣が前記収納部に収納される度に、その回の計数により得られた貨幣の在高を前記記憶部に記憶させ、
前回分以前の貨幣が前記収納部に残っている回における前記収納部への貨幣の収納の際に前記第２の規制解除処理が行われた場合、次回の前記収納部への貨幣の収納の際には、その回の計数により得られた硬貨の在高から前記前回分以前の貨幣の在高を差し引いた在高を、その回分の貨幣の在高として前記記憶部に記憶させる、
ことを特徴とする請求項６に記載の貨幣処理装置。
【請求項８】
前記収納部は、収納袋であり、
前記収納袋に形成されたタブ状の被印字部と、
前記装着部に設けられ、前記収納袋が前記装着部に装着された状態で、前記被印字部の裏面側を支える平坦な支え面と、
前記支え面により支えられた被印字部の表面に、前記収納袋に収納された貨幣の在高情報を印字する印字部と、をさらに備える、
ことを特徴とする請求項１ないし７の何れか一項に記載の貨幣処理装置。
【請求項９】
前記被印字部は、前記収納袋から分離可能である、
ことを特徴とする請求項８に記載の貨幣処理装置。
【発明の詳細な説明】
【技術分野】
【０００１】
本発明は、硬貨、紙幣等の貨幣を処理する貨幣処理装置に関し、特に、貨幣が収納された後に回収される収納袋等の収納部が装着可能な貨幣処理装置に関する。
【背景技術】
【０００２】
従来、パウチ袋等の収納袋が装着される装着部を備え、投入部に投入された紙幣が収納袋に収納される紙幣処理機において、紙幣が収納された収納袋の開口（収納口）を、封止部によって封止する、具体的には、ヒートシール（熱封止）するようにしたものが、特許文献１に記載されている。
【０００３】
この紙幣処理機では、店舗の店員等によって装着部から収納袋が取り外される際に、収納袋の開口が封止部により封止される。装着部は筐体内から外部へ引き出され、これにより収納袋へのアクセスが可能となる。
【先行技術文献】
【特許文献】
【０００４】
【特許文献１】特開２０１８−０１０５０８号公報
【発明の概要】
【発明が解決しようとする課題】
【０００５】
収納袋に紙幣が収納される際には、紙幣の計数が行われる。このときの計数結果が、店員等が事前に把握している計数結果と一致しない場合、収納袋に収納された紙幣が収納袋から取り出されて、収納のやり直しが行われ得る。また、収納袋への紙幣の収納中に、紙幣の搬送経路において紙幣の詰まりが生じた場合も、詰まった紙幣が取り出されるとともに既に収納袋に収納された紙幣が収納袋から取り出されて、収納のやり直しが行われ得る。
【０００６】
しかしながら、このような場合において、装着部に装着された収納袋へのアクセスが可能となったときに収納袋の開口が封止されていると、その都度、店員等が収納口の封止を解いて収納袋から紙幣を取り出す必要が生じるため、手間が掛かってしまう虞がある。
【０００７】
かかる課題に鑑み、本発明は、収納部の収納口が封止される構成とされた場合に、一旦は収納部に収納された貨幣を、手間なく収納部から取り出せ得る貨幣処理装置を提供することを目的とする。
【課題を解決するための手段】
【０００８】
本発明の主たる態様は、貨幣処理装置に関する。本態様に係る貨幣処理装置は、貨幣が投入される投入部と、貨幣が収納される収納部と、前記投入部に投入された貨幣を前記収納部へ搬送する搬送部と、前記収納部に収納される貨幣の計数を行う計数部と、前記収納部が取り外し可能に装着される装着部と、貨幣が収納された前記収納部の収納口を封止する封止部と、前記装着部に装着された収納部へのアクセスを規制する規制部と、制御部と、を備える。ここで、前記制御部は、前記収納部に貨幣が収納される際に前記規制部に前記アクセスの規制を行わせる規制処理と、前記封止部に前記収納口の封止を行わせた後に前記規制部に前記アクセスの規制を解除させる第１の規制解除処理と、前記封止部に前記収納口の封止を行わせることなく前記規制部に前記アクセスの規制を解除させる第２の規制解除処理と、を実行可能である。
【０００９】
上記の構成によれば、収納部に貨幣が収納される際には、規制部により収納部へのアクセスを規制できるので、収納部に収納された貨幣が安易に人の手に触れられにくくなる。しかも、封止部により収納口の封止を行った後に規制部によるアクセスの規制を解除することができるだけでなく、封止部により収納口の封止を行うことなく規制部によりアクセスの規制を解除することもできるので、操作者は、収納部への貨幣の収納をやり直す必要が生じた場合に、一旦は収納部に収納された貨幣を、収納口の封止を解く作業を行うことなく、容易に収納部から取り出すことができる。
【００１０】
本態様に係る貨幣処理装置において、第１の操作および第２の操作を受け付ける操作部を、さらに備えるような構成が採られ得る。この場合、前記制御部は、前記収納部への貨幣の収納が行われた後、前記第１の操作が受け付けられた場合は、前記第１の規制解除処理を実行し、前記第２の操作が受け付けられた場合は、前記第２の規制解除処理を実行する。
【００１１】
上記の構成によれば、操作者は、投入部に投入された貨幣が全て収納部へ収納された後に収納部への硬貨の収納をやり直す必要が生じた場合に、第２の操作を行うことにより、一旦は収納部に収納された貨幣を、収納口の封止を解く作業を行うことなく、容易に収納部から取り出すことができる。
【００１２】
本態様に係る貨幣処理装置において、前記制御部は、前記搬送部による搬送時に貨幣の詰まりが生じた場合に、前記第２の規制解除処理を実行するような構成とされ得る。
【００１３】
上記の構成によれば、操作者は、搬送部による搬送時に貨幣の詰まりが生じたことにより収納部への硬貨の収納をやり直す必要が生じた場合に、一旦は収納部に収納された貨幣を、収納口の封止を解く作業を行うことなく、容易に収納部から取り出すことができる。
【００１４】
本態様に係る貨幣処理装置において、前記収納部とは異なる他の収納部と、記憶部と、報知部と、をさらに備えるような構成が採られ得る。この場合、前記制御部は、前記投入部に投入された貨幣を、前記搬送部に搬送させて前記計数部に計数させた後に前記他の収納部に収納させ、その際の計数結果を、第１の結果として前記記憶部に記憶させる第１の処理を行うとともに、前記投入部に投入された貨幣を、前記搬送部に搬送させて前記計数部に計数させた後に前記収納部に収納させる第２の処理を行う。さらに、前記制御部は、前記第２の処理において、当該第２の処理での計数結果を第２の結果として前記第１の結果と比較し、両者が一致していない場合に、不一致であるときの報知を前記報知部に行わせる。
【００１５】
上記の構成によれば、操作者は、第１の処理を行わせることにより、第２の処理を行わせる前に、収納部に収納させる貨幣の在高を、第１の結果として確認できる。しかも、第２の処理において、第２の結果が第１の結果と一致していない場合に、不一致であるときの報知が報知部により行われるので、第２の処理の前に何らかの現金事故が生じた場合に、操作者が、その発生を見逃してしまわないようにすることができる。
【００１６】
上記の構成とされた場合、さらに、前記制御部は、前記第１の処理において、前記第１の結果を、計数結果を識別するための識別情報に対応付けて前記記憶部に記憶させ、前記第２の処理において、前記収納部へ貨幣を収納させる際に前記識別情報の入力を受け付け、受け付けた前記識別情報に対応付けられた前記第１の結果を前記記憶部から読み出して前記第２の結果と比較する。
【００１７】
このような構成とされれば、第２の結果が、誤った第１の結果と比較されてしまうことを防止できる。
【００１８】
本態様に係る貨幣処理装置において、前記制御部は、複数回分の前記投入部に投入された貨幣が収納された前記収納部の前記収納口を前記封止部に封止させるような構成とされ得る。
【００１９】
上記の構成によれば、複数回分の投入部に投入された貨幣を一つの収納部に収納することができるので、貨幣を効率的に収納部に収納できる。
【００２０】
上記の構成とされた場合、記憶部が、さらに備えられ得る。この場合、前記制御部は、一回分の前記投入部に投入された貨幣が前記収納部に収納される度に、その回の計数により得られた貨幣の在高を前記記憶部に記憶させる。さらに、前記制御部は、前回分以前の貨幣が前記収納部に残っている回における前記収納部への貨幣の収納の際に前記第２の規制解除処理が行われた場合、次回の前記収納部への貨幣の収納の際には、その回の計数により得られた硬貨の在高から前記前回分以前の貨幣の在高を差し引いた在高を、その回分の貨幣の在高として前記記憶部に記憶させる。
【００２１】
このような構成とされれば、前回分以前の貨幣が収納部に存在する状態での今回の収納部への貨幣の収納の際に、収納のやり直しが必要となる場合が生じても、やり直しとなる収納の際に、前回分以前の硬貨の在高が含まれない正確な在高を記憶部に記憶させることができる。
【００２２】
本態様に係る貨幣処理装置において、前記収納部は、収納袋とされ得る。この場合、前記収納袋に形成されたタブ状の被印字部と、前記装着部に設けられ、前記収納袋が前記装着部に装着された状態で、前記被印字部の裏面側を支える平坦な支え面と、前記支え面により支えられた被印字部の表面に、前記収納袋に収納された貨幣の在高情報を印字する印字部と、がさらに備えられる。
【００２３】
上記の構成によれば、収納部に収納された貨幣の在高情報を、収納部の被印字部に印字することにより、在高情報を収納部に表示させることができる。しかも、被印字部は、裏面側が平坦な支え面に支えられた状態で、表面側に印字される。よって、印字部により被印字部に在高情報をきれいに印字させることができる。
【００２４】
上記の構成とされた場合、前記被印字部は、前記収納袋から分離可能であるような構成とされ得る。
【００２５】
このような構成とされれば、回収先で収納部から貨幣が取り出された後に、被印字部が切り離され、伝票として再利用されることが可能となる。
【発明の効果】
【００２６】
上記のように、本発明によれば、収納部の収納口が封止される構成とされた場合に、一旦は収納部に収納された貨幣を、手間なく収納部から取り出せ得る貨幣処理装置を提供できる。
【００２７】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００２８】
【図１】図１は、実施形態に係る、硬貨処理装置の外観を示す斜視図である。
【図２】図２は、実施形態に係る、硬貨処理装置の内部の構成を示す平面図である。
【図３】図３は、実施形態に係る、装着部を構成する上保持部の斜視図である。
【図４】図４は、実施形態に係る、収納袋の構成を示す斜視図である。
【図５】図５は、実施形態に係る、硬貨処理装置の構成を示すブロック図である。
【図６】図６は、実施形態に係る、計数モードの処理に係る制御動作を示すフローチャートである。
【図７】図７（ａ）〜（ｅ）は、実施形態に係る、計数モードの処理の流れについて説明するための図である。
【図８】図８は、変更例１に係る、予備計数モードの処理に係る制御動作を示すフローチャートである。
【図９】図９は、変更例１に係る、計数モードの処理に係る制御動作を示すフローチャートである。
【図１０】図１０は、変更例１に係る、計数モードの処理に係る制御動作を示すフローチャートである。
【図１１】図１１（ａ）は、変更例２に係る、操作部の構成を示す図である。図１１（ｂ）および図１１（ｃ）は、変更例２に係る、在高履歴ファイルの構成を示す図である。
【図１２】図１２は、変更例２に係る、計数モードの処理に係る制御動作を示すフローチャートである。
【図１３】図１３は、変更例２に係る、計数モードの処理に係る制御動作を示すフローチャートである。
【図１４】図１４（ａ）は、変更例３に係る、収納袋の構成を示す斜視図である。図１４（ｂ）は、変更例３に係る、収納袋の他の構成を示す要部の斜視図である。
【図１５】図１５（ａ）は、変更例３に係る、装着部の上保持部に収納袋が装着された状態を示す斜視図である。図１５（ｂ）は、変更例３に係る、プリンタの構成を示す硬貨処理装置の要部の正面断面図である。
【発明を実施するための形態】
【００２９】
以下、本発明の貨幣処理装置の一実施形態である硬貨処理装置１について、図面を参照して説明する。
【００３０】
本実施形態において、収納袋１６が、特許請求の範囲に記載の「収納部」に対応する。また、識別部２９が、特許請求の範囲に記載の「計数部」に対応する。さらに、封止機構１１０が、特許請求の範囲に記載の「封止部」に対応する。さらに、ロック装置３０８が、特許請求の範囲に記載の「規制部」に対応する。
【００３１】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
【００３２】
図１は、硬貨処理装置１の外観を示す斜視図である。図１では、装着部１７が引き出された状態の硬貨処理装置１が示されている。
【００３３】
硬貨処理装置１は、いわゆる硬貨計数機であり、投入された硬貨の金種を識別し、金種に応じた金種別硬貨収納箱１３に硬貨を収納する選別モードの処理と、投入された硬貨を識別して計数し収納袋１６に収納する計数モードの処理とを行う。
【００３４】
図１に示すように、硬貨処理装置１は、ほぼ直方体状の筐体１０を備える。筐体１０の天面には、中央部に硬貨の投入口であるホッパー１１が設けられる。ホッパー１１は蓋１２で覆われており、ホッパー１１に硬貨が投入される際に蓋１２が開放される。
【００３５】
筐体１０内の前部には、６つの金種別硬貨収納箱１３が、左右方向に並ぶように配置されている。各金種別硬貨収納箱１３は上面が開口する。６つの金種別硬貨収納箱１３は、右側から順に、１円硬貨が収納される１円収納箱１３ａ、５０円硬貨が収納される５０円収納箱１３ｂ、５円硬貨が収納される５円収納箱１３ｃ、１００円硬貨が収納される１００円収納箱１３ｄ、１０円硬貨が収納される１０円収納箱１３ｅ、５００円硬貨が収納される５００円収納箱１３ｆとされる。６つの金種別硬貨収納箱１３は、筐体１０の左端部の位置から中央部よりもやや右側の位置に掛けて配置される。
【００３６】
６つの金種別硬貨収納箱１３の前方は、扉１４により覆われる。扉１４は前方に倒すようにして開くことができ、扉１４が開かれると６つの金種別硬貨収納箱１３が外部に露出する。この状態で各金種別硬貨収納箱１３を前方へ引き出すことができ、その中に収納された硬貨を取り出すことができる。
【００３７】
筐体１０内の前部には、６つの金種別硬貨収納箱１３の右方に、前面が開口する収容部１５が設けられる。収容部１５内には、収納袋１６が装着される装着部１７が収容される。収納袋１６には硬貨が収納される。装着部１７は、収納袋１６の上部を保持する上保持部１８と、方形の板状に形成され、収納袋１６の底面を保持する下保持部１９とを含む。装着部１７の後部において、上保持部１８と下保持部１９との間が、方形の板状を有する連結部２０により連結される。上保持部１８には、封止機構（後述する）が含まれる。収納袋１６に硬貨が収納された後、封止機構によって収納袋１６の収納口が封じられる（パウチされる）。
【００３８】
装着部１７は、収容部１５に収容された状態において、その前部が筐体１０の前面よりも前方へ張り出す。筐体１０には、収容部１５から前方に張り出すように装着部カバー２１が設けられており、装着部１７の上保持部１８が、上側と左右両側から装着部カバー２１に覆われる。上保持部１８の前側には扉２２が取り付けられており、装着部カバー２１の前面の開口２１ａが扉２２で塞がれる。扉２２の下端部には、取っ手２２ａが設けられる。
【００３９】
操作者が取っ手２２ａを持って扉２２を前方に移動させると、図１のように、装着部１７が前方に引き出される。装着部１７全体が収容部１５よりも前に出た状態となり、装着部１７の上保持部１８の大部分が外部に露出した状態となる。装着部１７が前方に引き出される際、上保持部１８の両側が、装着部カバー２１の内側に設けられたレール２３により案内される。装着部１７が前方に引き出されると、装着部１７への収納袋１６の装着が可能となり、また、装着部１７からの収納袋１６の取り外しが可能となる。
【００４０】
筐体１０内の上部には、ホッパー１１の左方に印字ユニット２４が配置される。印字ユニット２４は、レシート用紙に印字を行う。たとえば、印字ユニット２４は、計数モードの処理において、収納袋１６に収納された硬貨の在高情報（金種別の硬貨の枚数等）を、レシート用紙に印字する。印字後のレシート用紙は、筐体１０の天面に形成された排出口２４ａから排出される。
【００４１】
筐体１０の天面には、ホッパー１１の右方に表示部２５と操作部２６が設けられる。表示部２５は、液晶パネル等で構成され、硬貨の計数結果（枚数、金額）等の情報を表示する。操作部２６は、モード選択ボタン２６ａ、スタートボタン２６ｂ、完了ボタン２６ｃ、返却ボタン２６ｄ等の各種の操作ボタンを含む。モード選択ボタン２６ａは、選別モードおよび計数モードの何れかのモードを選択するためのボタンである、スタートボタン２６ｂは、選択されたモードの処理を開始させるためのボタンである。完了ボタン２６ｃは、計数モードにおいて、処理を完了して良いことを指示するためのボタンである。返却ボタン２６ｄは、一旦は収納袋１６に収納された硬貨を収納袋１６から取り出す際に操作されるボタンである。
【００４２】
図２は、硬貨処理装置１の内部の構成を示す平面図である。
【００４３】
筐体１０内には、６つの金種別硬貨収納箱１３および装着部１７よりも上側に、投入部２７、搬送部２８および識別部２９が配置される。
【００４４】
投入部２７は、ホッパー１１の下方に配置され、回転円盤３０と、回転円盤３０を囲む円環状の周壁３１とを含む。周壁３１には、筐体１０の右側面と対向する一部分が切り欠かれることにより、硬貨の出口３２が形成される。投入部２７には、出口３２の近傍であって回転円盤３０の上方に、規制部材３３が配置される。回転円盤３０と規制部材３３との間には、硬貨の厚みより僅かに大きな隙間が形成される。
【００４５】
投入部２７には、ホッパー１１を通じて硬貨が投入される。投入された硬貨は、回転円盤３０上に載せられる。回転円盤３０が上方から見て右方向に回転すると、回転円盤３０上の硬貨が、遠心力によって周壁３１側へと移動して出口３２から排出される。このとき、回転円盤３０と規制部材３３との隙間を硬貨が通ることで、硬貨が複数枚の重なった状態で排出されることが防止される。よって、投入部２７の出口３２からは、硬貨が一枚ずつ排出される。
【００４６】
搬送部２８は、投入部２７から排出された硬貨を、６つの金種別硬貨収納箱１３と装着部１７に装着された収納袋１６へ選択的に搬送する。搬送部２８は、搬送通路部３４と、第１搬送ベルト機構３５と、第２搬送ベルト機構３６と、第１振分機構３７と、第２振分機構３８と、開閉板３９とを備える。
【００４７】
搬送通路部３４は、硬貨が移動する搬送通路４０を有する。搬送通路４０は、筐体１０の右側面と前面とに沿うＬ字状の通路底板４１の上面に、通路底板４１の外縁側に沿うＬ字状の外側通路部材４２と通路底板４１の内縁側に沿うＬ字状の内側通路部材４３とが配置されることにより、外側通路部材４２と内側通路部材４３の間に形成される。搬送通路４０は、投入部２７の出口３２に繋がり、出口３２から筐体１０の前面近傍へと延びる第１通路４０ａと、第１通路４０ａに続き、左側へ湾曲する第２通路４０ｂと、第２通路４０ｂに続き、筐体１０の前面に沿って筐体１０の左側面近傍へと延びる第３通路４０ｃとで構成される。第１通路４０ａおよび第２通路４０ｂは、外側通路部材４２と内側通路部材４３とで挟まれ、サイズの最も大きな５００円硬貨より僅かに大きな幅を有する。一方、第３通路４０ｃの位置には、内側通路部材４３が配置されておらず、第３通路４０ｃは、外側通路部材４２と反対側が開放されている。
【００４８】
第１搬送ベルト機構３５は、第１通路４０ａと第２通路４０ｂの上方に設けられる。第１搬送ベルト機構３５は、第１通路４０ａにおける投入部２７の出口３２の近傍に配置された第１プーリ４４と、第２通路４０ｂに配置された第２プーリ４５と、第１プーリ４４と第２プーリ４５との間に架け渡された搬送ベルト４６を含む。搬送ベルト４６が周回すると、投入部２７から排出された硬貨が、搬送ベルト４６と第１通路４０ａの底面に挟まれるようにして第１通路４０ａを移動し、第２通路４０ｂへと至る。
【００４９】
第２搬送ベルト機構３６は、第２通路４０ｂと第３通路４０ｃの上方に設けられる。第２搬送ベルト機構３６は、第２通路４０ｂに配置された第１プーリ４７と、第３通路４０ｃの左端に配置された第２プーリ４８と、第１プーリ４７と第２プーリ４８との間に架け渡された２本の搬送ベルト４９を含む。搬送ベルト４９が周回すると、第２通路４０ｂに至った硬貨が、搬送ベルト４９と第２通路４０ｂの底面に挟まれるようにして第２通路４０ｂを移動し、さらに、搬送ベルト４９と第３通路４０ｃの底面に挟まれるようにして第３通路４０ｃを移動する。
【００５０】
第１搬送ベルト機構３５および第２搬送ベルト機構３６によって搬送通路４０を搬送される硬貨は、外側通路部材４２の壁面４２ａに接触し、壁面４２ａに沿うようにして移動する。
【００５１】
第１通路４０ａには、長円状のリジェクト孔５０が形成される。外側通路部材４２の壁面４２ａからリジェクト孔５０における壁面４２ａから遠い縁までの寸法は、サイズが最も小さな１円硬貨の径よりも小さくされる。このため、第１通路４０ａを壁面４２ａに沿って移動する硬貨は、通常、リジェクト孔５０を跨ぐようにして通過する。
【００５２】
硬貨をリジェクト孔５０に導くため、搬送部２８には、リジェクト孔５０に対応して第１振分機構３７が設けられる。第１振分機構３７は、レバー５１と、レバー５１の一端に回転自在に取り付けられたローラ５２とを含む。レバー５１は、その他端に支点５１ａを有し、支点５１ａを中心に回動できるよう外側通路部材４２に取り付けられる。外側通路部材４２には、リジェクト孔５０の近傍に凹部４２ｂが形成され、この凹部４２ｂにローラ５２が収容される。
【００５３】
第１通路４０ａにはリジェクト孔５０の直前に硬貨の通過を検知する通過検知センサ５３が配置される。正常な硬貨でないリジェクト硬貨の通過を通過検知センサ５３が検知すると、レバー５１が上方から見て左方向に回動し、ローラ５２が第１通路４０ａ内へ進出する。外側通路部材４２の壁面４２ａに沿って移動してきたリジェクト硬貨は、ローラ５２によってリジェクト孔５０側に押され、リジェクト孔５０を跨ぐことができず、傾くようにしてリジェクト孔５０に落下する。リジェクト孔５０に落下したリジェクト硬貨は、シュート（図示せず）を通ってリジェクト硬貨収納箱（図示せず）に収納される。
【００５４】
第２通路４０ｂには、その底面を構成する通路底板４１に、方形状の選別口５４が形成される。選別口５４は、開閉板３９により塞がれる。開閉板３９の上を硬貨が移動できるように、開閉板３９の表面は通路底板４１の表面と面一となっている。開閉板３９は、その一端側に設けられた軸３９ａを中心に下方に回動できる。開閉板３９が下方に回動されると、選別口５４が開かれる。選別口５４が開かれた場合、第２通路４０ｂへ至った硬貨が選別口５４へ落下する。選別口５４に落下した硬貨は、シュート（図示せず）を通り、装着部１７に装着された収納袋１６に収納される。
【００５５】
第３通路４０ｃには、６つの選別孔５５が形成される。６つの選別孔５５は、右から順に、１円選別孔５５ａ、５０円選別孔５５ｂ、５円選別孔５５ｃ、１００円選別孔５５ｄ、１０円選別孔５５ｅ、５００円選別孔５５ｆとされ、それぞれ位置が、１円収納箱１３ａ、５０円収納箱１３ｂ、５円収納箱１３ｃ、１００円収納箱１３ｄ、１０円収納箱１３ｅ、５００円収納箱１３ｆの位置に対応する。１円選別孔５５ａ、５０円選別孔５５ｂ、５円選別孔５５ｃ、１００円選別孔５５ｄ、１０円選別孔５５ｅは長円形状を有し、５００円選別孔５５ｆは方形状を有する。
【００５６】
硬貨は、サイズが小さい順に、１円、５０円、５円、１００円、１０円、５００円となる。外側通路部材４２の壁面４２ａから各選別孔５５における壁面４２ａから遠い縁までの寸法は、１円選別孔５５ａでは１円硬貨の径より大きく５０円硬貨の径より小さくされており、５０円選別孔５５ｂでは５０円硬貨の径より大きく５円硬貨の径より小さくされており、１００円選別孔５５ｄでは１００円硬貨の径より大きく１０円硬貨の径より小さくされており、１０円選別孔５５ｅでは１０円硬貨の径より大きく５００円硬貨の径より小さくされており、５００円選別孔５５ｆでは５００円硬貨の径より大きくされている。このため、第３通路４０ｃを外側通路部材４２の壁面４２ａに沿って移動する５円以外の各金種の硬貨は、それぞれに対応する選別孔５５へ至ったときに、その選別孔５５を跨ぐことができず、傾くようにしてその選別孔５５に落下する。各選別孔５５に落下した硬貨は、シュート（図示せず）を通って、その選別孔５５に対応する金種別硬貨収納箱１３に収納される。
【００５７】
一方、５円選別孔５５ｃでは、上記の寸法が５円硬貨の径よりも小さくされている。これは、５円硬貨と１００円硬貨では径の差が小さいため、上記の寸法を５円硬貨の径より大きく１００円硬貨の径より小さくすると、誤って５円選別孔５５ｃに１００円硬貨が落下しやすいためである。よって、５円硬貨を５円選別孔５５ｃに強制的に落下させることができるように、搬送部２８には、５円選別孔５５ｃに対応して第２振分機構３８が設けられる。
【００５８】
第２振分機構３８は、レバー５６と、レバー５６の一端に回転自在に取り付けられたローラ５７とを含む。レバー５６は、その他端に支点５６ａを有し、支点５６ａを中心に回動できるよう外側通路部材４２に取り付けられる。外側通路部材４２には、５円選別孔５５ｃの近傍に凹部４２ｃが形成され、この凹部４２ｃにローラ５７が収容される。
【００５９】
第３通路４０ｃには、５円選別孔５５ｃの直前に硬貨の通過を検知する通過検知センサ５８が配置される。５円硬貨の通過を通過検知センサ５８が検知すると、レバー５６が上方から見て右方向に回動し、ローラ５７が第３通路４０ｃ内へ進出する。外側通路部材４２の壁面４２ａに沿って移動してきた５円硬貨は、ローラ５７によって５円選別孔５５ｃ側に押され、５円選別孔５５ｃを跨ぐことができず、傾くようにして５円選別孔５５ｃに落下する。５円選別孔５５ｃに落下した硬貨は、シュート（図示せず）を通って、５円収納箱１３ｃに収納される。
【００６０】
搬送通路４０（第１通路４０ａ）における、リジェクト孔５０よりも硬貨の流れの上流側に識別部２９が配置される。識別部２９は、磁気センサ５９と一対のイメージセンサ６０を含み、搬送通路４０を搬送される硬貨の正損、真偽、金種等を識別する。また、識別部２９は硬貨の計数を行う。
【００６１】
選別モードでは、投入部２７から硬貨が一枚ずつ搬送通路４０に排出される。排出された硬貨は、第１通路４０ａを搬送されて識別部２９で識別および計数される。第２通路４０ｂの選別口５４は閉じられており、硬貨が第２通路４０ｂを通過できる状態にある。識別部２９により正常と識別された硬貨は、第３通路４０ｃまで搬送され、６つの選別孔５５により選別されて、その金種に対応する金種別硬貨収納箱１３に収納される。一方、識別部２９により正常でないと識別された硬貨、即ちリジェクト硬貨は、第１振分機構３７によりリジェクト孔５０へと送られ、リジェクト硬貨収納箱に収納される。なお、識別部２９では、リジェクト硬貨の計数は行われない。
【００６２】
計数モードでは、投入部２７から排出された硬貨が識別部２９で識別および計数され、その結果、正常と識別された硬貨が第２通路４０ｂに搬送される。第２通路４０ｂでは、選別口５４が開かれている。よって、第２通路４０ｂに至った硬貨は、選別口５４から落下して収納袋１６に収納される。選別モードと同様、リジェクト硬貨は、第１振分機構３７で振り分けられてリジェクト硬貨収納箱に収納される。
【００６３】
図３は、装着部１７を構成する上保持部１８の斜視図である。
【００６４】
上保持部１８は、四角形の枠体１００内に、装着部１７に装着された収納袋１６の収納口を閉じるための封止機構１１０を備える。枠体１００は、前面板１０１と、後面板１０２と、左側面板１０３と、右側面板１０４とにより構成される。前面板１０１と後面板１０２には、左右方向に延びる細長いガイド孔１０５が形成される。左側面板１０３と右側面板１０４の上端には、フランジ部１０６が形成される。フランジ部１０６は、上保持部１８が装着部カバー２１内に収容された際に、装着部カバー２１のレール２３に載せられ、レール２３上を移動する。
【００６５】
封止機構１１０は、固定封止部材１２０と、可動封止部材１３０と、Ｘ字型のリンク機構１４０と、取付部材１５０とを含む。固定封止部材１２０、可動封止部材１３０および取付部材１５０は、前面板１０１と後面板１０２との間に跨る長さを有する。固定封止部材１２０は、枠体１００内の右端、即ち右側面板１０４の内側に固定される。固定封止部材１２０の上面には、前側と後側に２つの突起１２１が設けられる。可動封止部材１３０は、左右方向に移動可能に枠体１００内に固定される。即ち、可動封止部材１３０の前端部と後端部にシャフト１３１が設けられ、このシャフト１３１が、前面板１０１と後面板１０２のガイド孔１０５に嵌め込まれ、可動封止部材１３０の移動に合わせてガイド孔１０５内を移動する。可動封止部材１３０の上面には、固定封止部材１２０の２つの突起１２１と前後方向において同じ位置に、２つの突起１３２が設けられる。リンク機構１４０は、十字に組まれた第１アーム１４１および第２アーム１４２を含み、可動封止部材１３０と取付部材１５０に連結される。取付部材１５０は、枠体１００内の左端、即ち左側面板１０３の内側に固定される。
【００６６】
リンク機構１４０において、第１アーム１４１の一端側の軸１４１ａが、可動封止部材１３０に形成されたスリット状のガイド孔１３３に移動可能に嵌め込まれ、第２アーム１４２の一端側の軸１４２ａが、取付部材１５０に形成されたスリット状のガイド孔１５１に移動可能に嵌め込まれる。また、第１アーム１４１の他端側の軸１４１ｂが取付部材１５０に形成された孔１５２に回転可能に嵌め込まれ、第２アーム１４２の他端側の軸１４２ｂが、可動封止部材１３０に形成された孔１３４に回転可能に嵌め込まれる。
【００６７】
リンク機構１４０は、リンク駆動部（後述する）により、第２アーム１４２の一端側の軸１４２ａを取付部材１５０のガイド孔１５１内で移動させることにより、左右方向に伸縮させることができる。リンク機構１４０が伸びると、可動封止部材１３０が固定封止部材１２０に当接できる位置まで左方向に移動する。リンク機構１４０が縮むと、可動封止部材１３０が右方向へ移動し、元の位置に戻る。
【００６８】
図４は、収納袋１６の構成を示す斜視図である。
【００６９】
収納袋１６は、透明、半透明または色つきのビニル樹脂（ポリエチレン、ポリオレフィン）等により形成される袋本体２００を備える。袋本体２００の上端部は、収納口２０１として開口する。袋本体２００には、収納口２０１の近傍のほぼ半面に、粘着剤が塗られた帯状の粘着面２０２が形成される。粘着面２０２には、剥離紙２０３が取り付けられる。収納口２０１には、封止機構１１０の固定封止部材１２０の突起１２１および可動封止部材１３０の突起１３２に引っ掛けられる４つのタブ２０４が形成される。タブ２０４には、突起１２１、１３２が挿入される孔２０５が形成される。
【００７０】
図５は、硬貨処理装置１の構成を示すブロック図である。
【００７１】
硬貨処理装置１は、上記の構成に加えて、円盤駆動部３０１と、第１ベルト駆動部３０２と、第２ベルト駆動部３０３と、第１レバー駆動部３０４と、第２レバー駆動部３０５と、開閉板駆動部３０６と、リンク駆動部３０７と、ロック装置３０８と、制御部３０９と、記憶部３１０とを備える。
【００７２】
円盤駆動部３０１は、投入部２７に含まれ、回転円盤３０を回転させる。第１ベルト駆動部３０２は、第１搬送ベルト機構３５に含まれ、第１プーリ４４または第２プーリ４５を回転させて搬送ベルト４６を周回させる。第２ベルト駆動部３０３は、第２搬送ベルト機構３６に含まれ、第１プーリ４７または第２プーリ４８を回転させて搬送ベルト４９を周回させる。第１レバー駆動部３０４は、第１振分機構３７に含まれ、レバー５１を回動させる。第２レバー駆動部３０５は、第２振分機構３８に含まれ、レバー５６を回動させる。開閉板駆動部３０６は、開閉板３９を回動させる。リンク駆動部３０７は、封止機構１１０に含まれ、ラックピニオン方式等の駆動方式によりリンク機構１４０の第２アーム１４２の軸１４２ａを移動させ、リンク機構１４０を伸縮させる。ロック装置３０８は、装着部１７が引き出せないように、装着部カバー２１に対して扉２２をロックする。たとえば、ロック装置３０８は、ソレノイドのオン・オフによりケースから出入りするプランジャを含み、プランジャを扉２２に設けられた係合穴に嵌り込ませることにより、扉２２をロックする。
【００７３】
制御部３０９は、ＣＰＵ（Central Processing Unit）等の演算回路を備える。制御部３０９は、記憶部３１０に記憶された動作プログラムに従って、表示部２５、操作部２６、識別部２９、通過検知センサ５３、５８、印字ユニット２４、円盤駆動部３０１、第１ベルト駆動部３０２、第２ベルト駆動部３０３、第１レバー駆動部３０４、第２レバー駆動部３０５、開閉板駆動部３０６、リンク駆動部３０７、ロック装置３０８等を制御する。また、記憶部３１０は、ＲＯＭ（Read Only Memory）、ＲＡＭ（Random Access Memory）やハードディスク等の記憶媒体を備え、制御部３０９の動作プログラムを記憶し、また、制御部３０９の制御処理の際にワーク領域として利用される。
【００７４】
次に、計数モードの処理について、詳細に説明する。
【００７５】
図６は、計数モードの処理に係る制御動作を示すフローチャートである。図７（ａ）〜（ｅ）は、計数モードの処理の流れについて説明するための図である。なお、図７（ａ）〜（ｅ）では、便宜上、筐体１０および装着部カバー２１が透明に描かれている。
【００７６】
計数モードの処理が行われる際、まず、操作者は、図７（ａ）に示すように、筐体１０（収容部１５）から装着部１７を引き出し、収納袋１６を装着部１７に装着する。このとき、操作者は、収納袋１６の４つのタブ２０４を固定封止部材１２０と可動封止部材１３０の４つの突起１２１、１３２に引っ掛けるようにして、収納袋１６の収納口２０１を固定封止部材１２０と可動封止部材１３０に保持させる。操作者は、収納袋１６の粘着面２０２から剥離紙２０３を剥がした後、図７（ｂ）に示すように、収納袋１６が装着された装着部１７を筐体１０内に戻す。
【００７７】
操作者は、収納袋１６に収納する硬貨をホッパー１１に投入した後、モード選択ボタン２６ａを操作して計数モードを選択し、スタートボタン２６ｂを操作する。これにより、計数モードの処理が開始される。
【００７８】
図６（ａ）を参照して、制御部３０９は、ロック装置３０８にロック動作を行わせ、扉２２をロックする（Ｓ１０１）。これにより、装着部１７が筐体１０から引き出せなくなるので、人の手が収納袋１６に収納された硬貨に容易に触れることを防止できる。なお、この状態は、収納袋１６へのアクセスが規制された状態ということができる。
【００７９】
次に、制御部３０９は、投入部２７から硬貨を排出させて搬送部２８により搬送し、収納袋１６に収納させる（Ｓ１０２）。この際、制御部３０９は、識別部２９により金種毎に硬貨の計数を行い、計数結果、即ち、収納袋１６に収納された硬貨の在高情報（金種毎の枚数等）を表示部２５に表示させる。
【００８０】
制御部３０９は、投入部２７に投入された硬貨が全て収納袋１６に収納されたか否かを判定する（Ｓ１０３）。また、制御部３０９は、搬送部２８での硬貨の詰まり（ジャム）が発生したか否かを判定する（Ｓ１０４）。たとえば、制御部３０９は、投入部２７に配置された残留検知センサ（図示しない）により、投入部２７内が空になったと検知されたことに基づいて、収納袋１６に全ての硬貨が収納されたと判定する。また、たとえば、制御部３０９は、通過検知センサ５３や第１通路４０ａのその他の位置に配置された通過検知センサ（図示せず）の位置を硬貨が通過しないことや、その位置に硬貨が留まっていることに基づいて硬貨詰まりが発生したと判定する。
【００８１】
硬貨詰まりが発生することなく収納袋１６への硬貨の収納が完了すると（Ｓ１０３：ＹＥＳ）、制御部３０９は、完了ボタン２６ｃによる完了操作または返却ボタン２６ｄによる返却操作を待つ（Ｓ１０５、Ｓ１０６）。操作者は、表示部２５の計数結果を、操作者が事前に把握している計数結果と比較するなどし、双方の計数結果が一致しないなどの問題がなければ、完了ボタン２６ｃを操作する。
【００８２】
完了操作がなされると（Ｓ１０５：ＹＥＳ）、制御部３０９は、封止機構１１０を動作させ、収納袋１６の収納口２０１を封じさせる（Ｓ１０７）。図７（ｃ）のように、リンク機構１４０が伸びて可動封止部材１３０が固定封止部材１２０に押し付けられ、収納口２０１が可動封止部材１３０と固定封止部材１２０との間に挟まれる。収納口２０１が閉じられ、粘着面２０２により接着される。これにより、収納袋１６の収納口２０１が封止される。収納袋１６は、収納口２０１の部分が接着された状態となるため、収納口２０１を開くことが困難となる。
【００８３】
次に、制御部３０９は、印字ユニット２４を動作させ、収納袋１６に収納された硬貨の在高情報をレシート用紙に印字させる（Ｓ１０８）。在高情報が印字され、所定サイズに切断されたレシート用紙が、排出口２４ａから排出される。レシート用紙には、在高情報として金種毎の硬貨の枚数と金額および合計金額が記される他、硬貨が収納袋１６に収納された収納日時と硬貨処理装置１が設置された店舗の店番号が記される。なお、識別部２９での計数により得られた在高は、通し番号が付されて記憶部３１０の在高履歴ファイル（図示せず）に記憶される。
【００８４】
次に、制御部３０９は、ロック装置３０８に解除動作を行わせ、扉２２のロックを解除する（Ｓ１０９）。これにより、装着部１７が筐体１０から引き出せるようになる。この状態は、収納袋１６へのアクセスの規制が解除された状態ということができる。こうして、計数モードの処理が終了する。
【００８５】
図７（ｄ）に示すように、操作者は、装着部１７を筐体１０から引き出し、装着部１７から収納袋１６を取り外す。排出口２４ａから排出されたレシート用紙は、収納袋１６と対応付けられた状態で保管される。
【００８６】
収納袋１６は回収された後に回収先の施設へ送られる。収納袋１６は、収納口２０１が封止されているため、輸送等の過程において、収納袋１６から硬貨が不所望に取り出されにくくなる。
【００８７】
一方、収納袋１６への硬貨の収納が完了した後に確認が行われた際、計数結果に誤りがある可能性があるなど、問題が生じた場合は、計数モードの処理による収納袋１６への硬貨の収納をやり直す必要がある。この場合、操作者は、返却ボタン２６ｄを操作する。
【００８８】
返却ボタン２６ｄが操作されると（Ｓ１０６：ＹＥＳ）、制御部３０９は、封止機構１１０により収納袋１６の収納口２０１を封止させることなく、ロック装置３０８に解除動作を行わせ、扉２２のロックを解除する（Ｓ１０９）。操作者は、装着部１７を筐体１０から引き出す。このとき、図７（ｅ）に示すように、収納袋１６の収納口２０１は開口した状態にある。よって、操作者は、収納口２０１の封止を解く作業を行うことなく、収納袋１６から全ての硬貨を取り出すことができる。
【００８９】
さらに、収納袋１６への硬貨の収納が行われている途中に硬貨詰まりが発生した場合、Ｓ１０４において、制御部３０９は、硬貨詰まりが発生したと判定する（Ｓ１０４：ＹＥＳ）。この場合、制御部３０９は、異常報知を行う（Ｓ１１０）。たとえば、制御部３０９は、表示部２５に、硬貨詰まりが発生したことを示す画面を表示させる。あるいは、制御部３０９は、スピーカ（図示せず）に、硬貨詰まりが発生したことを示す音声またはアラート音を出力させる。その後、制御部３０９は、返却ボタン２６ｄによる返却操作が行われた場合と同様、封止機構１１０により収納袋１６の収納口２０１を封止させることなく、ロック装置３０８に解除動作を行わせ、扉２２のロックを解除する（Ｓ１０９）。
【００９０】
操作者は、再度、計数モードの処理による収納袋１６への硬貨の収納をやり直すため、詰った硬貨を搬送部２８の搬送通路４０内から取り出すとともに、収納口２０１が開口したままの収納袋１６から全ての硬貨を取り出す。
【００９１】
＜実施形態の効果＞
本実施形態によれば、以下の効果が奏され得る。
【００９２】
収納袋１６へ硬貨が収納されていている間、ロック装置３０８によって扉２２がロックされることにより、収納袋１６へのアクセスが規制されるので、収納袋１６に収納された硬貨が安易に人の手に触れられにくくなる。
【００９３】
また、投入部２７に投入された硬貨が全て収納袋１６への収納された後に返却ボタン２６ｄが操作された場合、あるいは、収納袋１６へ硬貨が収納されている途中に硬貨の詰まりが発生した場合、封止機構１１０により収納袋１６の収納口２０１が封止されることなく、扉２２のロックが解除されて、収納袋１６へのアクセスが可能となる。よって、操作者は、収納袋１６への硬貨の収納を最初からやり直す必要が生じた場合に、一旦は収納袋１６に収納された硬貨を、収納口２０１の封止を解く作業を行うことなく、容易に収納袋１６から取り出すことができる。
【００９４】
以上、本発明の実施形態について説明したが、本発明は、上記実施形態によって何ら制限されるものではなく、また、本発明の実施形態も、上記以外に種々の変更が可能である。
【００９５】
＜変更例１＞
本変更例では、操作者が、計数モードの処理を行って硬貨を収納袋１６に収納させる前に、予備的に、収納袋１６へ収納する硬貨の計数を行えるよう、硬貨処理装置１が予備計数モードを有する。予備計数モードの処理では、選別モードの処理と同様、計数された硬貨が金種別硬貨収納箱１３に収納される。
【００９６】
予備計数モードの処理が終了した後に計数モードの処理が開始されるが、この間に、金種別硬貨収納箱１３からの一部の硬貨の取り忘れ等、現金事故が生じることもあり得る。そこで、本変更例では、計数モードの処理において、硬貨が収納袋１６に収納された際の計数結果（在高）と予備計数モードの処理での計数結果（在高）との照合が行われ、両者が一致しなければ、その旨を知らせるための報知が行われる。
【００９７】
本変更例において、金種別硬貨収納箱１３が、特許請求の範囲に記載の「他の収納部」に対応する。また、表示部２５が、特許請求の範囲に記載の「報知部」に対応する。
【００９８】
以下、予備計数モードの処理と、それに続いて行われる計数モードの処理について、詳細に説明する。
【００９９】
図８は、変更例１に係る、予備計数モードの処理に係る制御動作を示すフローチャートである。
【０１００】
操作者は、硬貨をホッパー１１に投入した後、モード選択ボタン２６ａを操作して予備計数モードを選択し、スタートボタン２６ｂを操作する。これにより、予備計数モードの処理が開始される。
【０１０１】
図８を参照して、制御部３０９は、投入部２７から硬貨を排出させて搬送部２８により搬送し、識別部２９により金種の識別と計数とを行い、その金種に対応する金種別硬貨収納箱１３に硬貨を収納させる（Ｓ２０１）。計数結果、即ち、各金種別硬貨収納箱１３に収納された硬貨の在高情報（金種毎の枚数等）が表示部２５に表示される。
【０１０２】
金種別硬貨収納箱１３への硬貨の収納が完了すると、制御部３０９は、完了ボタン２６ｃによる完了操作を待つ（Ｓ２０２）。操作者は、表示部２５の計数結果を確認するなどし、問題がなければ完了ボタン２６ｃを操作する。
【０１０３】
完了操作がなされると（Ｓ２０２：ＹＥＳ）、制御部３０９は、計数結果、即ち、計数により得られた硬貨の在高を、当該在高を識別するための識別番号に対応付けて記憶部３１０に記憶させる（Ｓ２０３）。そして、制御部３０９は、印字ユニット２４を動作させ、識別番号をレシート用紙に印字させる（Ｓ２０４）。識別番号が印字されたレシート用紙が、排出口２４ａから排出される。こうして、予備計数モードの処理が終了する。
【０１０４】
図９および図１０は、変更例１に係る、計数モードの処理に係る制御動作を示すフローチャートである。
【０１０５】
操作者は、予備計数モードの処理において金種別硬貨収納箱１３に収納された全ての硬貨を、当該金種別硬貨収納箱１３から取り出して、投入部２７に投入する。操作者は、装着部１７への収納袋１６の装着を行った後、モード選択ボタン２６ａを操作して計数モードを選択し、スタートボタン２６ｂを操作する。これにより、計数モードの処理が開始される。
【０１０６】
以下では、主として、図６に示す上記実施形態の計数モードの処理の制御動作と異なる部分について説明する。
【０１０７】
図９および図１０を参照し、制御部３０９は、識別番号の入力画面を表示部２５に表示させて、識別番号の入力を受け付ける（Ｓ１２１）。たとえば、本変更例では、表示部２５をタッチパネルとすることができる。この場合、入力画面に、識別番号を入力するためのテンキーが含まれる。操作者は、テンキーを用いて、レシート用紙に記載された識別番号を入力する。識別番号の受け付けが完了すると、制御部３０９は、ロック装置３０８により扉２２をロックして収納袋１６への硬貨の収納を開始する（Ｓ１０１、Ｓ１０２）。
【０１０８】
なお、予備計数モードの処理が行われることなく、計数モードの処理が行われた場合は、識別番号に対応付けられた在高が記憶部３１０に記憶されていない。よって、この場合、制御部３０９は、Ｓ１２１の処理をスルーしてＳ１０１の処理を行う。
【０１０９】
次に、収納袋１６への硬貨の収納が完了し、完了ボタン２６ｃによる完了操作がなされると（Ｓ１０５：ＹＥＳ）、制御部３０９は、受け付けた識別番号に対応付けられた在高、即ち、予備計数モードの処理で得られた在高を記憶部３１０から読み出す（Ｓ１２２）。そして、制御部３０９は、収納袋１６へ硬貨を収納した際の計数により得られた在高（計数結果）と予備計数モードの処理で得られた在高（計数結果）とが一致するか否かを判定する（Ｓ１２３）。
【０１１０】
双方の在高が一致する場合（Ｓ１２３：ＹＥＳ）、制御部３０９は、封止機構１１０により収納袋１６の収納口２０１を封止し（Ｓ１０７）、印字ユニット２４によりレシート用紙に在高情報を印字した後（Ｓ１０８）、ロック装置３０８により扉２２のロックを解除する（Ｓ１０９）。こうして、計数モードの処理が終了する。この際、識別番号に対応付けられた在高が記憶部３１０から消去される。
【０１１１】
一方、双方の在高が一致しない場合（Ｓ１２３：ＮＯ）、制御部３０９は、不一致のときの報知を行う（Ｓ１２４）。たとえば、制御部３０９は、表示部２５に、不一致のときの報知として、不一致の旨を知らせるメッセージと、発生した差額とを含む報知画面を表示させる。制御部３０９は、スピーカ（図示せず）に、不一致のときの報知として、不一致の旨を知らせる音声またはアラート音を出力させるようにしてもよい。
【０１１２】
次に、制御部３０９は、完了ボタン２６ｃによる完了操作または返却ボタン２６ｄによる返却操作を待つ（Ｓ１２５、Ｓ１２６）。
【０１１３】
通常の場合は、不一致の原因を解消させて計数モードの処理をやり直す必要があるので、操作者は、返却ボタン２６ｄを操作する。返却ボタン２６ｄが操作されると（Ｓ１２５：ＹＥＳ）、制御部３０９は、封止機構１１０により収納袋１６の収納口２０１を封止させることなく、ロック装置３０８により扉２２のロックを解除する（Ｓ１０９）。
【０１１４】
一方、稀ではあるが、操作者が、不一致の結果を了承しつつも計数モードの処理をやり直す必要がないと判断する場合もあり得る。この場合、操作者は、完了ボタン２６ｃを操作する。完了ボタン２６ｃが操作されると（Ｓ１２６：ＹＥＳ）、制御部３０９は、封止機構１１０により収納袋１６の収納口２０１を封止する（Ｓ１２７）。そして、制御部３０９は、印字ユニット２４によりレシート用紙に在高情報を印字し、それと同時に、レシート用紙に差額が生じた旨と差額を印字する（Ｓ１２８）。その後、制御部３０９は、ロック装置３０８により扉２２のロックを解除する（Ｓ１０９）。
【０１１５】
以上、本変更例によれば、操作者は、予備計数モードの処理を行うことにより、計数モードの処理を行う前に、収納袋１６に収納させる硬貨の在高を確認できる。しかも、計数モードの処理において、収納袋１６へ硬貨を収納した際の計数により得られた在高と予備計数モードの処理で得られた在高とが一致しなければ、一致しないときの報知が行われる。よって、計数モードの処理が行われる前に何らかの現金事故が生じた場合に、操作者が、その発生を見逃してしまわないようにすることができる。
【０１１６】
また、本変更例によれば、予備計数モードの処理では、在高が識別番号に対応付けられて記憶部３１０に記憶され、計数モードの処理では、入力された識別番号に対応付けられた在高が読み出される。これにより、計数モードの処理での在高が誤った在高と比較されてしまうことを防止できる。
【０１１７】
なお、本変更例において、複数の取引分の硬貨の予備的な計数が、予備計数モードの処理によって連続して行われた場合、各取引分の硬貨の在高が、それぞれ対応する識別番号に対応付けられて記憶される。このような場合、各取引分の硬貨の在高が既に把握できているため、計数モードの処理において、これら複数の取引分の硬貨がまとめて投入部２７に投入され、まとめて収納袋１６に収納されるようにすることもできる。この場合、図９のＳ１２１の処理では、各取引分の識別番号が全て入力され、図１０のＳ１２３の処理では、これら識別番号に対応付けられた在高が合算された在高が、計数モードの処理で得られた在高と比較される。また、図１０のＳ１０８の処理では、取引ごとに分けて在高情報がレシート用紙に印字される。
【０１１８】
また、予備計数モードの処理が連続して行われるようなことがなく、予備計数モードの処理が終わると、この処理と連続して計数モードの処理が行われるような構成とされた場合には、予備計数モードの処理において、在高に識別番号が付されなくてもよい。この場合、計数モードの処理では、識別番号の入力が行われず、先の予備計数モードの処理で記憶された在高が記憶部３１０から読み出される。
【０１１９】
＜変更例２＞
上記実施形態の硬貨処理装置１では、計数モードの処理において、一回分の投入部２７に投入された硬貨（一つの取引分の硬貨）が収納袋１６に収納されると、収納袋１６の収納口２０１が封止された。よって、一つの収納袋１６には、一回分（一つの取引分）の硬貨のみが収納された。
【０１２０】
これに対し、本変更例の硬貨処理装置１では、一つの収納袋１６に複数回分の投入部２７に投入された硬貨（複数の取引分の硬貨）をまとめて収納させることが可能な計数モードの処理が行われる。ここで、一つの収納袋１６に複数回分の硬貨をまとめて収納できるようにした場合、以下のような課題が生じ得る。
【０１２１】
収納袋１６へ硬貨が収納されている途中に硬貨詰まり（ジャム）が発生した場合、操作者は、詰まった硬貨と既に収納袋１６に収納された硬貨とを取り出して、再度、投入部２７に投入し、計数モードの処理をやり直すことになる。しかしながら、この際、前回以前の計数モードの処理で収納された硬貨が収納袋１６に存在する場合もある。このような場合は、それらの硬貨を区別することは困難であるので、それらの硬貨を含めた全ての硬貨が収納袋１６から取り出されることになる。よって、やり直された計数モードの処理では、前回分以前の硬貨の計数も行われることになってしまう。このため、本来は、前回以前の分を含まない硬貨の在高が記憶部３１０の在高履歴ファイル３１０ａに記憶されるべきところ、誤った在高が在高履歴ファイル３１０ａに記憶されてしまう虞がある。また、前回以前の計数モードの処理で収納された硬貨が収納袋１６に存在する場合に、今回の計数モードの処理での硬貨の収納が完了した後に返却操作が行われて収納袋１６から硬貨が取り出され、計数モードの処理がやり直されることになった場合も、同様な課題が生じ得る。
【０１２２】
そこで、本変更例の計数モードの処理では、このような課題についても対処がなされている。以下、本変更例の計数モードの処理について詳細に説明する。
【０１２３】
図１１（ａ）は、変更例２に係る、操作部２６の構成を示す図である。
【０１２４】
本変更例では、操作部２６に、モード選択ボタン２６ａ、スタートボタン２６ｂ、完了ボタン２６ｃ、返却ボタン２６ｄの他、回収ボタン２６ｅが含まれる。回収ボタン２６ｅは、収納袋１６の収納口２０１を封止させる指示を行うためのボタンである。
【０１２５】
図１１（ｂ）および図１１（ｃ）は、変更例２に係る、在高履歴ファイル３１０ａの構成を示す図である。
【０１２６】
記憶部３１０には、在高履歴ファイル３１０ａが設けられる。在高履歴ファイル３１０ａには、計数モードの処理での計数により得られた硬貨の在高が記憶される。各在高には、通し番号が付される。また、各在高には、当該在高を有する硬貨が収納された収納袋１６が回収済であるか未回収であるかを示すステータスが付される。
【０１２７】
収納袋１６は、装着部１７から取り外されて回収される際に収納口２０１が封止される。よって、硬貨が収納袋１６に収納されたときに収納口２０１の封止が行われない場合は、その回に収納袋１６の回収は行われないので、その硬貨の在高に対応するステータスが「未回収」となる（図１１（ｂ）の通し番号１３、１４参照）。一方、硬貨が収納袋１６に収納されたときに収納口２０１の封止が行われる場合は、その回に収納袋１６の回収が行われるので、その硬貨の在高に対応するステータスが「回収済」となる（図１１（ｃ）の通し番号１５参照）。このとき、前回以前の硬貨が収納袋１６に収納されている場合、これら硬貨も回収されるため、これら硬貨の在高に対応するステータスが「未回収」から「回収済」に変更される（図１１（ｃ）の通し番号１３、１４参照）。
【０１２８】
さらに、記憶部３１０には、再計数フラグが設けられる。再計数フラグは、通常はリセットされており、前回以前の計数モードの処理で収納された硬貨が収納袋１６に存在する状態において、硬貨の収納中に硬貨詰まりが発生した場合または返却操作が行われた場合にセットされる。よって、その後にやり直された計数モードの処理において、前回分以前の硬貨も含めた硬貨の計数が行われる場合には、再計数フラグがセットされた状態となっている。
【０１２９】
図１２および図１３は、変更例２に係る、計数モードの処理に係る制御動作を示すフローチャートである。
【０１３０】
図１２および図１３を参照して、制御部３０９は、ロック装置３０８により扉２２をロックした後（Ｓ３０１）、投入部２７から硬貨を排出させて搬送部２８により搬送し、識別部２９により金種の識別と計数とを行い、収納袋１６に硬貨を収納させる（Ｓ３０２）。表示部２５には、計数結果、即ち在高情報（金種毎の枚数等）が表示される。
【０１３１】
制御部３０９は、硬貨詰まり（ジャム）が発生することなく収納袋１６への硬貨の収納が完了すると（Ｓ３０３：ＹＥＳ）、完了ボタン２６ｃによる完了操作、回収ボタン２６ｅによる回収操作または返却ボタン２６ｄによる返却操作を待つ（Ｓ３０４、Ｓ３０５、Ｓ３０６）。
【０１３２】
操作者は、計数により得られた硬貨の在高に問題がない場合に、次回の硬貨も同じ収納袋１６に収納するのであれば完了ボタン２６ｃを操作し、今回は収納袋１６を取り出すのであれば回収ボタン２６ｅを操作する。
【０１３３】
完了操作がなされると（Ｓ３０４：ＹＥＳ）、制御部３０９は、再計数フラグがセットされているか否かを判定する（Ｓ３０７）。再計数フラグがセットされていない場合（Ｓ３０７：ＮＯ）、計数により得られた在高は適正であるため、制御部３０９は、その在高を記憶部３１０の在高履歴ファイル３１０ａに記憶させるとともに、在高履歴ファイル３１０ａにおいて、その在高に対応するステータスを「未回収」とする（Ｓ３０９）。こうして、計数モードの処理が終了する。このとき、扉２２のロックは維持されたままとなる。よって、開口したままの収納袋１６へのアクセスは困難となるので、収納袋１６内の硬貨に人の手が触れられることが防止される。なお、次回の計数モードの処理では、扉２２のロックが既になされているので、Ｓ３０１の処理では、制御部３０９により扉２２のロックが維持される。
【０１３４】
一方、回収操作がなされると（Ｓ３０５：ＹＥＳ）、制御部３０９は、再計数フラグがセットされているか否かを判定する（Ｓ３１０）。再計数フラグがセットされていない場合（Ｓ３１０：ＮＯ）、計数により得られた在高は適正であるため、制御部３０９は、その在高を記憶部３１０の在高履歴ファイル３１０ａに記憶させるとともに、在高履歴ファイル３１０ａにおいて、その在高に対応するステータスを「回収済」とする（Ｓ３１２）。その後、制御部３０９は、在高履歴ファイル３１０ａに、ステータスが「未回収」の在高があれば、その在高を有する硬貨も同じ収納袋１６に収納されているため、その在高のステータスを「未回収」から「回収済」に変更する（Ｓ３１３）。
【０１３５】
次に、制御部３０９は、封止機構１１０により収納袋１６の収納口２０１を封止し（Ｓ３１４）、印字ユニット２４によりレシート用紙に在高情報を印字した後（Ｓ３１５）、ロック装置３０８により扉２２のロックを解除する（Ｓ３１６）。こうして、計数モードの処理が終了する。このとき、収納袋１６に複数回分、即ち複数の取引分の硬貨が収納されている場合には、レシート用紙に、取引ごとの硬貨の在高が、分けられた状態で印字される。
【０１３６】
収納袋１６への硬貨の収納が完了した後、操作者は、計数により得られた硬貨の在高に問題があれば、返却ボタン２６ｄを操作する。
【０１３７】
返却操作がなされると（Ｓ３０６：ＹＥＳ）、制御部３０９は、在高履歴ファイル３１０ａにステータスが「未回収」の在高があるか否かを確認する（Ｓ３１７）。ステータスが「未回収」の在高があれば（Ｓ３１７：ＹＥＳ）、収納袋１６内の硬貨に前回分以前の硬貨が含まれていることになるので、制御部３０９は、再計数フラグをセットする（Ｓ３１８）。その後、制御部３０９は、封止機構１１０により収納袋１６の収納口２０１を封止することなく、ロック装置３０８により扉２２のロックを解除する（Ｓ３１６）。こうして、計数モードの処理が終了する。
【０１３８】
収納袋１６への硬貨の収納が完了するまでの間、制御部３０９は、硬貨詰まり（ジャム）が発生したか否かを監視する（Ｓ３１９）。硬貨詰まり（ジャム）が発生した場合（Ｓ３１９：ＹＥＳ）、制御部３０９は、異常報知を行う（Ｓ３２０）。さらに、制御部３０９は、返却操作がなされた場合と同様、在高履歴ファイル３１０ａにステータスが「未回収」の在高があれば（Ｓ３１７：ＹＥＳ）、再計数フラグをセットし（Ｓ３１８）、その後、封止機構１１０により収納袋１６の収納口２０１を封止することなく、扉２２のロックを解除する（Ｓ３１６）。こうして、計数モードの処理が終了する。
【０１３９】
前回分以前の硬貨が収納袋１６に存在する状態において、今回の硬貨の収納中に硬貨詰まりが発生した場合、あるいは、今回の硬貨の収納が完了した後に返却操作が行われた場合、操作者は、前回分以前の硬貨も含めて収納袋１６内の全ての硬貨を取り出し、投入部２７へ投入した後、スタートボタン２６ｂを操作して、再度、計数モードの処理を開始させる。
【０１４０】
このときの計数モードの処理では、再計数フラグがセットされている。よって、Ｓ３０７およびＳ３１０において再計数フラグがセットされていると判定され（Ｓ３０７：ＹＥＳ、Ｓ３１０：ＹＥＳ）、制御部３０９は、前回分以前の硬貨の在高が含まれない今回分の在高を算出する（Ｓ３０８、Ｓ３１１）。即ち、制御部３０９は、在高履歴ファイル３１０ａからステータスが「未回収」である在高を読み出す。この在高が、前回分以前の硬貨の在高である。制御部３０９は、今回の計数モードの処理での計数によって得られた在高から、読み出した在高を差し引き、これにより得られた在高を今回分の在高とする。そして、制御部３０９は、算出された今回分の在高を在高履歴ファイル３１０ａに記憶する（Ｓ３０９、Ｓ３１２）。その後、再計数フラグがリセットされる。
【０１４１】
以上、本変更例によれば、複数回分の投入部２７に投入された硬貨（複数の取引分の硬貨）を一つの収納袋１６に収納することができるので、硬貨を効率的に収納袋１６に収納でき、収納袋１６の消費を抑制できる。
【０１４２】
また、本変更例によれば、前回以前の計数モードの処理で収納された硬貨が収納袋１６に存在する状態において、硬貨の収納中に硬貨詰まりが発生した場合または返却操作が行われた場合、やり直された計数モードの処理において、前回分以前の硬貨の在高が含まれない正確な在高を在高履歴ファイル３１０ａに記憶できる。
【０１４３】
＜変更例３＞
上記実施形態では、収納袋１６に収納された硬貨の在高情報が印字されたレシート用紙が発行される。本変更例では、さらに、在高情報が収納袋１６自身に表示される。
【０１４４】
図１４（ａ）は、変更例３に係る、収納袋１６の構成を示す斜視図である。
【０１４５】
収納袋１６には、収納口２０１に、収納された硬貨の在高情報が印字されるタブ状の被印字部２０６が形成される。収納口２０１と被印字部２０６との境界部分には、ミシン目２０６ａが設けられる。これにより、被印字部２０６は、袋本体２００からハサミ等の用具を用いることなく分離可能となる。被印字部２０６、即ち、被印字部２０６が一体に設けられた袋本体２００は、印字に適する材質を有する。
【０１４６】
図１４（ｂ）は、変更例３に係る、収納袋１６の他の構成を示す要部の斜視図である。
【０１４７】
被印字部２０６は、図１４（ｂ）に示すような構成とすることもできる。この例では、被印字部２０６は、表側が印字面とされ、裏側に粘着剤が塗布された粘着面を有する。袋本体２００には、表側に剥離剤が塗布された剥離面を有する台紙部２０７が一体形成され、この台紙部２０７の剥離面に、被印字部２０６が剥離可能に貼り付けられている。これにより、被印字部２０６は、袋本体２００からハサミ等の用具を用いることなく分離可能となる。
【０１４８】
図１５（ａ）は、変更例３に係る、装着部１７の上保持部１８に収納袋１６が装着された状態を示す斜視図である。
【０１４９】
収納袋１６が装着部１７に装着された状態で、被印字部２０６の裏面側が、固定封止部材１２０の平坦な上面１２０ａにより支えられる。装着部１７の上保持部１８には、被印字部２０６の端部を押さえる押さえ部材１６０が設けられる。押さえ部材１６０は、軸部１６１を有し、軸部１６１の両側が支持部１６２により回動自在に支持される。押さえ部材１６０は、軸部１６１と支持部１６２との間に介在する捩じりバネ（図示せず）によって被印字部２０６を押さえる方向に付勢される。なお、上面１２０ａは、特許請求の範囲に記載の「支え面」に対応する。
【０１５０】
図１５（ｂ）は、変更例３に係る、プリンタ４００の構成を示す硬貨処理装置１の要部の正面断面図である。
【０１５１】
装着部１７に装着された状態の収納袋１６の被印字部２０６に在高情報を印字するため、硬貨処理装置１には、装着部カバー２１の上にプリンタ４００が設けられる。
【０１５２】
プリンタ４００は、筐体４１０と、筐体４１０内に配置された印字ユニット４２０および昇降機構４３０と、を備える。印字ユニット４２０は、前後左右方向に移動可能な印字ヘッド４２１を備える。印字ユニット４２０は、たとえば、インクジェットタイプとすることができる。印字ユニット４２０は、特許請求の範囲に記載の「印字部」に対応する。昇降機構４３０は、上下に配された２つのローラ４３１と、これらローラ４３１に掛け渡されたベルト４３２と、印字ユニット４２０をベルト４３２に固定するための固定部４３３と、上側のローラ４３１を回転させてベルト４３２を周回させるモータ４３４とを含む。昇降機構４３０は、印字ユニット４２０を、印字ヘッド４２１が被印字部２０６に接触する印字位置と、印字位置より高く、装着部１７の筐体１０への出し入れの邪魔にならない退避位置との間で昇降させる。なお、装着部カバー２１には、印字ユニット４２０が出し入れされる開口２１ｂが設けられる。
【０１５３】
計数モードの処理において、硬貨が収納袋１６に収納された後、収納口２０１が封止される前または後に、被印字部２０６に在高情報が印字される。このとき、昇降機構４３０により印字ユニット４２０が退避位置から印字位置に降ろされ、印字ヘッド４２１が前後左右に移動しながら被印字部２０６へ印字を行う。在高情報の印字が完了すると、昇降機構４３０により印字ユニット４２０が印字位置から退避位置に上げられる。
【０１５４】
以上、本変更例によれば、収納袋１６に収納された硬貨の在高情報を、収納袋１６の被印字部２０６に印字することにより、在高情報を収納袋１６に表示させることができる。しかも、被印字部２０６は、裏面側が固定封止部材１２０の平坦な上面１２０ａに支えられた状態で、表面側に印字される。よって、印字ユニット４２０により被印字部２０６に在高情報をきれいに印字させることができる。
【０１５５】
また、本変更例によれば、被印字部２０６が収納袋１６から分離可能であるので、回収先で収納袋１６から硬貨が取り出された後に、被印字部２０６が切り離され、伝票として再利用されることが可能となる。
【０１５６】
＜その他の変更例＞
上記実施形態では、収納袋１６の収納口２０１が粘着面２０２による接着によって封止された。しかしながら、収納袋１６の収納口２０１がヒートシールによって封止されるような構成が採られてもよい。この場合、固定封止部材１２０と可動封止部材１３０には、互いに当接する面にヒートシール用のヒータが設けられる。固定封止部材１２０と可動封止部材１３０と間に収納口２０１がはさみ込まれた状態でヒータに通電されると、収納口２０１の部分が溶着（接着）する。これにより、収納袋１６の収納口２０１が封止される。
【０１５７】
また、上記実施形態では、図６の計数モードの処理において、収納袋１６への硬貨の収納が完了し、完了操作がなされると（Ｓ１０５：ＹＥＳ）、制御部４０９は、封止機構１１０を動作させ、収納袋１６の収納口２０１を封じさせた（Ｓ１０７）。しかしながら、完了操作がなされると（Ｓ１０５：ＹＥＳ）、制御部４０９が、装着部１７を前方に引出すことができるようにロックを解除し、操作者が装着部１７を引き出すと、その引出動作に連動して封止機構１１０が動作し、収納袋１６の収納口２０１が封じられることとしてもよい。
【０１５８】
さらに、上記実施形態では、装着部１７に収納袋１６が装着された。しかしながら、装着部１７に装着される収納部として、収納袋１６でなく、箱型の回収カセットが用いられてもよい。
【０１５９】
さらに、上記実施形態では、硬貨処理装置１は、硬貨を金種により選別し金種別硬貨収納箱１３に収納する機能と、硬貨を計数して収納袋１６に収納する機能とを有する、いわゆる硬貨計数機であった。しかしながら、硬貨処理装置１は、硬貨を計数して収納袋等の収納部に収納する機能に加え、硬貨を入出金する機能を有する、いわゆる硬貨入出金機であってもよい。
【０１６０】
さらに、上記実施形態では、取り扱われる貨幣が硬貨である硬貨処理装置１に本発明が適用される例が示された。しかしながら、本発明は、取り扱われる貨幣が紙幣であり、装着部に取り外し可能に紙幣を収納する収納部が装着される紙幣処理装置に適用することもできる。
【０１６１】
この他、本発明の実施形態は、特許請求の範囲に記載の範囲で適宜変更可能である。
【符号の説明】
【０１６２】
１  硬貨処理装置（貨幣処理装置）
１３  金種別硬貨収納箱（他の収納部）
１６  収納袋（収納部）
１７  装着部
２５  表示部（報知部）
２６  操作部
２７  投入部
２８  搬送部
２９  識別部（計数部）
１１０  封止機構（封止部）
１２０ａ  上面（支え面）
２０１  収納口
２０６  被印字部
３０８  ロック装置（規制部）
３０９  制御部
３１０  記憶部
４２０  印字ユニット（印字部）
【図１】
2020057235.tif 000003
【図２】
2020057235.tif 000004
【図３】
2020057235.tif 000005
【図４】
2020057235.tif 000006
【図５】
2020057235.tif 000007
【図６】
2020057235.tif 000008
【図７】
2020057235.tif 000009
【図８】
2020057235.tif 000010
【図９】
2020057235.tif 000011
【図１０】
2020057235.tif 000012
【図１１】
2020057235.tif 000013
【図１２】
2020057235.tif 000014
【図１３】
2020057235.tif 000015
【図１４】
2020057235.tif 000016
【図１５】
2020057235.tif 000017
【手続補正書】
【提出日】令和2年2月13日(2020.2.13)
【手続補正１】
【補正対象書類名】特許請求の範囲
【補正対象項目名】全文
【補正方法】変更
【補正の内容】
【特許請求の範囲】
【請求項１】
貨幣が投入される投入部と、
貨幣が収納される収納部と、
前記投入部に投入された貨幣を前記収納部へ搬送する搬送部と、
前記収納部に収納される貨幣の計数を行う計数部と、
前記収納部が取り外し可能に装着される装着部と、
貨幣が収納された前記収納部の収納口を封止する封止部と、
前記装着部に装着された収納部へのアクセスを規制する規制部と、
制御部と、を備え、
前記制御部は、
前記収納部に貨幣が収納される際に前記規制部に前記アクセスの規制を行わせる規制処理と、
前記封止部に前記収納口の封止を行わせた後に前記規制部に前記アクセスの規制を解除させる第１の規制解除処理と、
前記封止部に前記収納口の封止を行わせることなく前記規制部に前記アクセスの規制を解除させる第２の規制解除処理と、を実行可能である、
ことを特徴とする貨幣処理装置。
【請求項２】
第１の操作および第２の操作を受け付ける操作部を、さらに備え、
前記制御部は、前記収納部への貨幣の収納が行われた後、
前記第１の操作が受け付けられた場合は、前記第１の規制解除処理を実行し、
前記第２の操作が受け付けられた場合は、前記第２の規制解除処理を実行する、
ことを特徴とする請求項１に記載の貨幣処理装置。
【請求項３】
前記制御部は、前記搬送部による搬送時に貨幣の詰まりが生じた場合に、前記第２の規制解除処理を実行する、
ことを特徴とする請求項１または２に記載の貨幣処理装置。
【請求項４】
前記収納部とは異なる他の収納部と、
記憶部と、
報知部と、をさらに備え、
前記制御部は、
前記投入部に投入された貨幣を、前記搬送部に搬送させて前記計数部に計数させた後に前記他の収納部に収納させ、その際の計数結果を、第１の結果として前記記憶部に記憶させる第１の処理を行うとともに、前記投入部に投入された貨幣を、前記搬送部に搬送させて前記計数部に計数させた後に前記収納部に収納させる第２の処理を行い、
前記第２の処理において、当該第２の処理での計数結果を第２の結果として前記第１の結果と比較し、両者が一致していない場合に、不一致であるときの報知を前記報知部に行わせる、
ことを特徴とする請求項１ないし３の何れか一項に記載の貨幣処理装置。
【請求項５】
前記制御部は、
前記第１の処理において、前記第１の結果を、計数結果を識別するための識別情報に対応付けて前記記憶部に記憶させ、
前記第２の処理において、前記収納部へ貨幣を収納させる際に前記識別情報の入力を受け付け、受け付けた前記識別情報に対応付けられた前記第１の結果を前記記憶部から読み出して前記第２の結果と比較する、
ことを特徴とする請求項４に記載の貨幣処理装置。
【請求項６】
前記制御部は、複数回分の前記投入部に投入された貨幣が収納された前記収納部の前記収納口を前記封止部に封止させる、
ことを特徴とする請求項１ないし５の何れか一項に記載の貨幣処理装置。
【請求項７】
前記収納部は、収納袋であり、
前記収納袋に形成されたタブ状の被印字部と、
前記装着部に設けられ、前記収納袋が前記装着部に装着された状態で、前記被印字部の裏面側を支える平坦な支え面と、
前記支え面により支えられた被印字部の表面に、前記収納袋に収納された貨幣の在高情報を印字する印字部と、をさらに備える、
ことを特徴とする請求項１ないし６の何れか一項に記載の貨幣処理装置。
【請求項８】
前記被印字部は、前記収納袋から分離可能である、
ことを特徴とする請求項７に記載の貨幣処理装置。